(57)【特許請求の範囲】
【請求項１】
コンタクトと、前記コンタクトを保持するハウジングとを備えるコネクタであって、
前記ハウジングには、前後方向において前記ハウジングの背面側から前方に向かって挿入された前記コンタクトを収容するコンタクト収容室が形成されていると共に前記コンタクト収容室内において前記コンタクトを係止するランスが形成されており、
前記コンタクトは、互いに区別し得る第１被係止部及び第２被係止部を備えており、
前記ランスには、前記第１被係止部及び前記第２被係止部を夫々係止する第１係止部及び第２係止部が設けられており、
前記ランスは、前記前後方向において前記第１係止部の後方に設けられた第１被当接部と、前記前後方向において前記第２係止部の後方に設けられた第２被当接部とを有しており、
前記コンタクトは、角筒状部及び板部を備えており、
前記コンタクトの前記角筒状部の上面は、前記コンタクトを前記コンタクト収容室に収容する際に前記第１被当接部に当接して前記前後方向と直交する上下方向において前記ランスを上側に押し上げる第１当接部として機能する部位であり、
前記コンタクトの前記板部の前記前後方向及び前記上下方向の双方と直交する幅方向内側の主面は、前記コンタクトを前記コンタクト収容室に収容する際に前記第２被当接部に当接して前記ランスを前記上下方向と交差する方向に押圧する第２当接部として機能する部位であり、
前記コンタクトを前記コンタクト収容室に収容する際には、前記第１当接部及び前記第２当接部が前記第１被当接部及び前記第２被当接部に夫々当接することにより、前記ランスは、前記幅方向及び前記上下方向の双方と斜交する方向へ弾性変位する
コネクタ。
【請求項２】
請求項１記載のコネクタであって、
前記第１係止部は、前記上下方向において前記ランスの下側に設けられており、
前記第２係止部は、前記幅方向において前記ランスの外側に設けられており、前記上下方向において前記ランスの固定端に対して前記第１係止部よりも近い位置に位置している
コネクタ。
【請求項３】
請求項１又は請求項２記載のコネクタであって、
前記板部は、前記幅方向と交差する方向に延びており、
前記第２被係止部は、前記板部の後縁に設けられている
コネクタ。
【請求項４】
請求項１乃至請求項３のいずれかに記載のコネクタであって、
前記第１係止部は、前記幅方向に延びており、
前記第２係止部は、前記幅方向と交差する方向に延びている
コネクタ。
【請求項５】
請求項１乃至請求項４のいずれかに記載のコネクタであって、
前記板部は、前記上下方向において上側に延びており、
前記第２係止部は、前記上下方向に延びている
コネクタ。
【請求項６】
請求項１乃至請求項５のいずれかに記載のコネクタであって、
前記コンタクトは、雌型コンタクトであり、
前記角筒状部は、雄型コンタクトが挿入される部位であり、
前記板部は、前記角筒状部から離れる方向に向かって延びており、
前記第１被係止部は、前記角筒状部の上部後縁に設けられている
コネクタ。
【請求項７】
請求項１乃至請求項６のいずれかに記載のコネクタであって、
前記第２当接部は、前記コンタクトを前記コンタクト収容室に収容する際に前記第２被当接部に当接して前記ランスを前記幅方向に押圧する
コネクタ。
【請求項８】
請求項１乃至請求項７のいずれかに記載のコネクタであって、
前記ハウジングには、前記コンタクトを前記コンタクト収容室に収容する際に前記板部の通過を許容するスリットが形成されており、
前記板部は、前記コンタクトを前記コンタクト収容室に適切な向きで収容させるための方向キーとして機能している
コネクタ。
【請求項９】
請求項１乃至請求項８のいずれかに記載のコネクタであって、
前記板部は、前記前後方向において前記コンタクトの前端から後方に延びている
コネクタ。
【請求項１０】
請求項１乃至請求項９のいずれかに記載のコネクタであって、
前記ランスには、前記前後方向における前側の端部として突出部が設けられており、
前記第１係止部は、前記上下方向において前記突出部の下方に設けられており、
前記第２係止部は、前記幅方向において前記突出部の外側に設けられている
コネクタ。
【請求項１１】
請求項１０記載のコネクタであって、
前記上下方向において、前記突出部の下側には、上側に向かって凹んだ凹部が形成されている
コネクタ。
【発明の詳細な説明】
【技術分野】
【０００１】
本発明は、ハウジングのコンタクト収容室内にコンタクトを係止するランスを有するコネクタに関する。
【背景技術】
【０００２】
この種のコネクタとしては、例えば、特許文献１及び特許文献２に開示されたものがある。特許文献１は、大きなコンタクト保持力を確保しながらコンタクトの優れた挿入性を得るため、ランスの断面のコンタクト側領域の面積を反コンタクト側領域（コンタクト側領域とは反対側の領域）の面積より大きく形成することを提案している（図１８参照）。特許文献２は、コネクタの小型化に伴ってランスの強度が低下してしまうことを避けるべく、横壁と縦壁を有し且つ断面Ｌ字状をなすようなランスをハウジング内に形成することを提案している（図１９参照）。
【先行技術文献】
【特許文献】
【０００３】
【特許文献１】特開２００３−５９５７３号公報
【特許文献２】特開２０１０−２７２３０号公報
【発明の概要】
【発明が解決しようとする課題】
【０００４】
特許文献１のコネクタでは、コネクタの小型化に適さないという問題がある。一方、特許文献２のコネクタでは、コンタクトの保持力を確保しようとすると、コンタクトの挿入性が悪くなってしまうといった問題がある。
【０００５】
そこで、本発明は、コネクタの小型化が進んだとしても、コンタクトの挿入し易さと挿入されたコンタクトの保持とを両立することのできるコネクタを提供することを目的とする。
【課題を解決するための手段】
【０００６】
本発明は、第１のコネクタとして、
コンタクトと、前記コンタクトを保持するハウジングとを備えるコネクタであって、
前記ハウジングには、前後方向において前記ハウジングの背面側から前方に向かって挿入された前記コンタクトを収容するコンタクト収容室が形成されていると共に前記コンタクト収容室内において前記コンタクトを係止するランスが形成されており、
前記コンタクトは、互いに区別し得る第１被係止部及び第２被係止部を備えており、
前記ランスには、前記第１被係止部及び前記第２被係止部を夫々係止する第１係止部及び第２係止部が設けられている
コネクタを提供する。
【０００７】
本発明は、第２のコネクタとして、第１のコネクタであって、
前記ランスは、前記前後方向において前記第１係止部の後方に設けられた第１被当接部と、前記前後方向において前記第２係止部の後方に設けられた第２被当接部とを有しており、
前記コンタクトは、前記コンタクトを前記コンタクト収容室に収容する際に前記第１被当接部に当接して前記前後方向と直交する上下方向において前記ランスを上側に押し上げる第１当接部と、前記コンタクトを前記コンタクト収容室に収容する際に前記第２被当接部に当接して前記ランスを前記前後方向及び前記上下方向の双方と直交する幅方向に押圧する第２当接部とを有しており、
前記コンタクトを前記コンタクト収容室に収容する際には、前記第１当接部及び前記第２当接部が前記第１被当接部及び前記第２被当接部に夫々当接することにより、前記ランスは、前記幅方向及び前記上下方向の双方と斜交する方向へ弾性変位する
コネクタを提供する。
【０００８】
本発明は、第３のコネクタとして、第１のコネクタであって、
前記第１係止部は、前記前後方向と直交する上下方向において前記ランスの下側に設けられており、
前記第２係止部は、前記前後方向及び前記上下方向の双方と直交する幅方向において前記ランスの外側に設けられており、前記上下方向において前記ランスの固定端に対して前記第１係止部よりも近い位置に位置している
コネクタを提供する。
【０００９】
本発明は、第４のコネクタとして、第３のコネクタであって、
前記コンタクトは、前記幅方向と交差する方向に延びる板部を有しており、
前記第２被係止部は、前記板部の後縁に設けられている
コネクタを提供する。
【００１０】
本発明は、第５のコネクタとして、第４のコネクタであって、
前記第１係止部は、前記幅方向に延びており、
前記第２係止部は、前記幅方向と交差する方向に延びている
コネクタを提供する。
【００１１】
本発明は、第６のコネクタとして、第５のコネクタであって、
前記板部は、前記上下方向において上側に延びており、
前記第２係止部は、前記上下方向に延びている
コネクタを提供する。
【００１２】
本発明は、第７のコネクタとして、第４乃至第６のいずれかのコネクタであって、
前記コンタクトは、雌型コンタクトであり、且つ、雄型コンタクトが挿入される角筒状部を備えており、
前記板部は、前記角筒状部から離れる方向に向かって延びており、
前記第１被係止部は、前記角筒状部の上部後縁に設けられている
コネクタを提供する。
【００１３】
本発明は、第８のコネクタとして、第７のコネクタであって、
前記ランスは、前記前後方向において前記第１係止部の後方に設けられた第１被当接部と、前記前後方向において前記第２係止部の後方に設けられた第２被当接部とを有しており、
前記コンタクトの前記角筒状部の上面は、前記コンタクトを前記コンタクト収容室に収容する際に前記第１被当接部に当接して前記上下方向において前記ランスを上側に押し上げる第１当接部として機能する部位であり、
前記コンタクトの前記板部の前記幅方向内側の主面は、前記コンタクトを前記コンタクト収容室に収容する際に前記第２被当接部に当接して前記ランスを前記上下方向と交差する方向に押圧する第２当接部として機能する部位であり、
前記コンタクトを前記コンタクト収容室に収容する際には、前記第１当接部及び前記第２当接部が前記第１被当接部及び前記第２被当接部に夫々当接することにより、前記ランスは、前記幅方向及び前記上下方向の双方と斜交する方向へ弾性変位する
コネクタを提供する。
【００１４】
本発明は、第９のコネクタとして、第８のコネクタであって、
前記第２当接部は、前記コンタクトを前記コンタクト収容室に収容する際に前記第２被当接部に当接して前記ランスを前記幅方向に押圧する
コネクタを提供する。
【００１５】
本発明は、第１０のコネクタとして、第４乃至第９のいずれかのコネクタであって、
前記ハウジングには、前記コンタクトを前記コンタクト収容室に収容する際に前記板部の通過を許容するスリットが形成されており、
前記板部は、前記コンタクトを前記コンタクト収容室に適切な向きで収容させるための方向キーとして機能している
コネクタを提供する。
【００１６】
本発明は、第１１のコネクタとして、第１０のコネクタであって、
前記板部は、前記前後方向において前記コンタクトの前端から後方に延びている
コネクタを提供する。
【００１７】
本発明は、第１２のコネクタとして、第１乃至第１１のいずれかのコネクタであって、
前記ランスには、前記前後方向における前側の端部として突出部が設けられており、
前記第１係止部は、前記上下方向において前記突出部の下方に設けられており、
前記第２係止部は、前記幅方向において前記突出部の外側に設けられている
コネクタを提供する。
【００１８】
本発明は、第１３のコネクタとして、第１２のコネクタであって、
前記上下方向において、前記突出部の下側には、上側に向かって凹んだ凹部が形成されている
コネクタを提供する。
【発明の効果】
【００１９】
本発明によれば、コンタクトに互いに区別し得る２つの被係止部（第１被係止部及び第２被係止部）を設ける一方、ランスに互いに異なる２つの係止部（第１係止部及び第２係止部）を設けることとしたので、広い係止面積を確保することができる。従って、本発明によれば、コンタクトの挿入し易さを犠牲にすることなく、ランスの強度を維持することができる。
【００２０】
特に、第１係止部をランスの下側に設ける一方で、第２係止部をランスの幅方向外側に設けることとすると、第２係止部がランスの固定端に近い位置に位置することとなる。これにより、ランスの係止強度を高めることができる。
【図面の簡単な説明】
【００２１】
【図１】本発明の実施の形態によるコネクタのハウジングとコンタクトとを示す斜視図である。
【図２】図１のコンタクトを示す斜視図である。
【図３】図１のコンタクトを示す拡大正面図である。
【図４】図１のコンタクトの板部付近（破線Ａの部分）を示す部分拡大斜視図である。
【図５】図１のハウジングを示す拡大正面図である。なお、VI-VI線の上部は、ハウジングの前方（コンタクト収容室部分）においては−Ｙ側の側壁に沿っており、ハウジングの後方においては＋Ｙ側の側壁に沿っている。
【図６】図５のハウジングをVI-VI線に沿って示す断面図である。
【図７】図６のハウジングを斜め後方から示す、一部切り欠き斜視断面図である。
【図８】図６のハウジングを斜め前方から見下ろすようにして示す、一部切り欠き斜視断面図である。
【図９】図６のハウジングを斜め前方から見上げるようにして示す、一部切り欠き斜視断面図である。
【図１０】図９のハウジングのランスの先端付近（破線Ｂの部分）を示す部分拡大斜視図である。
【図１１】図１のコネクタを示す拡大正面図である。なお、コンタクトはハウジングに挿入されている。また、XII-XII線の上部は、ハウジングの前方（コンタクト収容室部分）においては−Ｙ側の側壁に沿っており、ハウジングの後方においては＋Ｙ側の側壁に沿っている。
【図１２】図１１のコネクタをXII-XII線に沿って示す断面図である。
【図１３】図１２のコネクタを示す、一部切り欠き斜視断面図である。なお、コンタクトはハウジングに挿入されている。
【図１４】図１２のコネクタをXIV-XIV線に沿って示す拡大断面図である。なお、ハウジングのうちXII-XII線で切断された＋Ｙ側の側壁部分を破線で表示している。
【図１５】図１１のコネクタにおいてハウジングにコンタクトが挿入される過程を示す断面図である。
【図１６】図１５（ｂ）の状態にあるコネクタを示す拡大正面図である。
【図１７】第２被当接部が設けられていないハウジングを備える従来のコネクタであって図１５（ｂ）と同様の状態にあるコネクタを示す拡大正面図である。
【図１８】従来のランスの一例を示す斜視図である。
【図１９】従来のランスの別の一例を示す斜視図である。
【発明を実施するための形態】
【００２２】
図１に示されるように、本実施の形態によるコネクタ１０は、金属製のコンタクト２００と、コンタクト２００を保持するように構成されたハウジング１００とを備えている。ハウジング１００は、弾性を有する樹脂材料によって一体成形されている。本実施の形態によるハウジング１００は、複数のハウジング１００を上下・左右に積層した集合体の一部である。ハウジング１００は、前後方向（Ｘ方向）において長く延びる角柱状に形成されており、Ｘ方向における両端部分に前面１００ｆ及び背面１００ｒを夫々有している。ハウジング１００には、背面１００ｒから前面１００ｆまで内部を貫通する孔１０２が形成されている。孔１０２は、コンタクト２００を＋Ｘ方向（挿入方向）に沿って挿入するための部位である。
【００２３】
図１及び図２に示されるように、コンタクト２００は、Ｘ方向（前後方向）において長く延びており、Ｘ方向における両端部分に前端２００ｆ及び後端２００ｒを夫々有している。本実施の形態によるコンタクト２００は、雌型コンタクトであり、一枚の金属板を打ち抜き・折り曲げ加工することによって形成されている。
【００２４】
コンタクト２００は、ケーブル５００を保持可能に構成されている。詳しくは、ケーブル５００は、導電性材料からなる芯線５２０と、芯線５２０を覆う絶縁性材料からなる被覆５１０を備えている。コンタクト２００の後側（−Ｘ側）には、被覆かしめ部２４０と、芯線かしめ部２５０とが形成されている。被覆かしめ部２４０は、被覆５１０の周囲に巻き付けてかしめるための部位であり、コンタクト２００の後端２００ｒ付近に形成されている。芯線かしめ部２５０は、被覆５１０から露出させた芯線５２０をかしめるための部位であり、被覆かしめ部２４０よりも前側（＋Ｘ側）に形成されている。ケーブル５００の被覆５１０及び芯線５２０が夫々かしめられることによって、ケーブル５００の端部がコンタクト２００に固定・保持され、コンタクト２００とケーブル５００とが電気的に接続される。
【００２５】
コンタクト２００の前側（＋Ｘ側）には、底板部２０６と、第１側壁２０２と、第２側壁２０４とが形成されている。底板部２０６は、平板状に形成されており、Ｘ方向において長く延びている。第１側壁２０２及び第２側壁２０４は、平板状に形成されており、前後方向（Ｘ方向）と直交する幅方向（Ｙ方向）における底板部２０６の両端部分から＋Ｚ方向（上方向）に延びている。
【００２６】
図３から理解されるように、被覆かしめ部２４０の下端は、前後方向（Ｘ方向）及び幅方向（Ｙ方向）の双方と直交する上下方向（Ｚ方向）において、コンタクト２００の前側よりも下に位置している。換言すれば、コンタクト２００の前側は、コンタクト２００の後側よりも、やや上方に配置されている。
【００２７】
図１及び図２に示されるように、第１側壁２０２には、板部（第１方向キー）２２０と、後側板部（第２方向キー）２３０とが形成されている。本実施の形態による板部２２０は、第１側壁２０２の前端部分に形成されており、Ｙ方向（幅方向）と直交する平面内を延びている。詳しくは、板部２２０は、Ｘ方向（前後方向）において第１側壁２０２の前端（即ち、コンタクト２００の前端２００ｆ）から後方に（即ち、幅方向と交差する方向に）延びている。また、板部２２０は、Ｚ方向（上下方向）において、底板部２０６から上側に延びている。
【００２８】
図１乃至図４に示されるように、板部２２０は、前縁２２０ｆと後縁２２０ｒと上縁２２０ｔとを有している。前縁２２０ｆ及び後縁２２０ｒは、Ｘ方向における板部２２０の両端部分に夫々形成されている。前縁２２０ｆは、Ｘ方向と直交する平面状に形成されており、底板部２０６から上方に延びている。上縁２２０ｔは、Ｚ方向と直交する平面状に形成されており、前縁２２０ｆの上端から後方に延びている。後縁２２０ｒは、上縁２２０ｔの後端から下方に向けて延びている。詳しくは、後縁２２０ｒは、第２被係止部２２２と曲がり部２２４とを備えている。第２被係止部２２２は、Ｘ方向と直交する平面上において上縁２２０ｔの後端から下方に向けて延びており、これによりＺ方向に長く延びる矩形状に形成されている。曲がり部２２４は、第２被係止部２２２の下端から、湾曲しつつ更に下方に延びている。
【００２９】
板部２２０は、Ｙ方向における両側に主面２２６及び主面（第２当接部）２２８を有している。本実施の形態による主面２２８は、板部２２０のＹ方向（幅方向）における内側に位置しており、Ｙ方向と直交する平面状に形成されている。板部２２０には、矩形状の係止孔２２９が形成されている。係止孔２２９は、主面２２８から主面２２６まで＋Ｙ方向に延びており、板部２２０をＹ方向において貫通している。
【００３０】
後側板部２３０は、Ｘ方向において板部２２０と距離をあけるようにして、板部２２０の後方に形成されている。後側板部２３０は、板部２２０と同様に、Ｙ方向と直交する平板状に形成されている。板部２２０及び後側板部２３０は、第１側壁２０２の残部分よりも上方に突出しており、板部２２０の上端（上縁２２０ｔ）と後側板部２３０の上端とはＺ方向において実質的に同一位置に位置している。
【００３１】
図２乃至図４に示されるように、第２側壁２０４の一部は、前端部分からやや後方に離れた位置において上方に突出している。上方への突出部分は、更に折り曲げられて第１側壁２０２に向かって延びており、これにより上板部２０８が形成されている。上板部２０８は、Ｙ方向において第１側壁２０２と近接する位置まで延びており、＋Ｙ側の端部には係止突起２１８が形成されている。係止突起２１８は、係止孔２２９と対応する形状に形成されており、係止孔２２９の内部に挿入されている。上板部２０８は、係止突起２１８と係止孔２２９との係合によって所定の位置に固定されている。即ち、上板部２０８は、下向きの力を受けた場合でも下方に変位しないように構成されている。
【００３２】
図３及び図４に示されるように、コンタクト２００の前端２００ｆ付近には、角筒状部２１２が形成されている（図３の破線部分参照）。角筒状部２１２は、底板部２０６の一部、第１側壁２０２の板部２２０、第２側壁２０４の一部、及び上板部２０８によって囲まれた角筒状の部位であり、コンタクト２００の相手側コンタクトである雄型コンタクト（図示せず）が挿入される部位である。角筒状部２１２は、Ｘ方向（前後方向）に沿って前方から見たとき、矩形形状を有している。板部２２０の上縁２２０ｔは、角筒状部２１２よりも上方に位置している。換言すれば、板部２２０は、角筒状部２１２から離れる方向に向かって延びている。
【００３３】
図２及び図３に示されるように、上板部２０８のＹ方向における中間部分は、前側（＋Ｘ側）において下方に折り曲げられ、更に後方（−Ｘ方向）に折り曲げられて延びている。後方に向けて折り曲げられた部分の後端付近には、下方に向かって突出した接触部２６０が形成されている（図３参照）。接触部２６０は、角筒状部２１２に挿入された雄型コンタクトと接触し、これによってコンタクト２００と雄型コンタクトとが電気的に接続される。
【００３４】
図２乃至図４に示されるように、角筒状部２１２の一部を構成する上板部２０８は、上面（第１当接部）２１０を有している。上面２１０は、Ｚ方向と直交する平面状に形成されている。上面２１０の後端付近は、Ｙ方向における中央部分を中心として上方に湾曲しており、これによって凸部２１４が形成されている。凸部２１４は、Ｘ方向（前後方向）に沿って見たときに、凸レンズ形状を有している（図３参照）。上板部２０８の後端部分には、第１被係止部２１６が形成されている。即ち、第１被係止部２１６は、角筒状部２１２の上部後縁に設けられている。第１被係止部２１６は、Ｘ方向（前後方向）と直交する平面状に形成されており、Ｘ方向に沿って見たときに、略アーチ形状を有している。詳しくは、第１被係止部２１６のＹ方向における両側部分は矩形状に形成されており、Ｙ方向において両側部分に挟まれた中央部分は上方に湾曲している。
【００３５】
図７乃至図９に示されるように、ハウジング１００の内部にはコンタクト収容室１２０が形成されている。コンタクト収容室１２０は、ハウジング１００の孔１０２の前側に形成されている。コンタクト収容室１２０は、ハウジング１００の背面１００ｒ側から、Ｘ方向（前後方向）において前方に向かって孔１０２内部に挿入されたコンタクト２００の前側部分を収容するための部位である。
【００３６】
図１及び図７乃至図９に示されるように、ハウジング１００は、上壁１００ｕを更に備えている。ハウジング１００の上壁１００ｕにはスリット１３０が形成されている。スリット１３０は、孔１０２の上側に形成されており、コンタクト収容室１２０と連通している。ハウジング１００の背面１００ｒからＸ方向に沿って見たとき、スリット１３０は、矩形形状を有している。スリット１３０のＹ方向（幅方向）における位置は、孔１０２のＹ方向における中央よりも＋Ｙ側にずれている。スリット１３０のＹ方向における幅は、板部２２０及び後側板部２３０のＹ方向における幅と対応している。また、孔１０２の下端からスリット１３０の上端までの長さは、板部２２０及び後側板部２３０のＺ方向における高さよりもやや大きく設定されている一方、孔１０２の下端からスリット１３０の下端（即ち、孔１０２のうちスリット１３０が形成されていない部分の上端）までの長さは、板部２２０及び後側板部２３０のＺ方向における高さよりも小さく設定されている。従って、コンタクト２００は、板部２２０とスリット１３０とが対応するように配置した場合にのみ、孔１０２に挿入することができる。
【００３７】
以上の説明から理解されるように、スリット１３０は、コンタクト２００をコンタクト収容室１２０に収容する際に板部２２０及び後側板部２３０の通過を許容するように構成されている。換言すれば、板部２２０及び後側板部２３０は、コンタクト２００をコンタクト収容室１２０に適切な向きで収容させるための方向キーとして機能している。
【００３８】
図７乃至図９に示されるように、ハウジング１００の内部には、第１底面１４０及び第２底面１４２が形成されている。詳しくは、第１底面１４０は、ハウジング１００の背面１００ｒ側に配置されており、Ｚ方向と直交する平面状に形成されている。一方、第２底面１４２は、ハウジング１００の前面１００ｆ側に配置されており、Ｚ方向と直交する平面状に形成されている。第２底面１４２は、Ｚ方向において第１底面１４０よりも高い位置に位置しており、これにより第１底面１４０と第２底面１４２との間に段差部１４４が形成されている。段差部１４４は、第１底面１４０の前端から第２底面１４２の後端まで斜傾して延びている。なお、第１底面１４０から第２底面１４２までのＺ方向における長さは、コンタクト２００の前端２００ｆの下端から後端２００ｒの下端までのＺ方向における長さと略同一である（図３参照）。
【００３９】
図７及び図８に示されるように、上壁１００ｕのうちコンタクト収容室１２０よりも後側に位置する部分は、コンタクト収容室１２０の上方に位置する部分よりも、孔１０２の内部において下方に突出している。ハウジング１００は、この突出部分の＋Ｘ方向における先端にランス１１０を備えている。即ち、ランス１１０は、コンタクト収容室１２０内に形成されており、＋Ｘ方向に突出している。ランス１１０は、ハウジング１００に挿入されたコンタクト２００をコンタクト収容室１２０内において係止するための部位である。
【００４０】
図７乃至図１０に示されるように、ランス１１０は、上壁１００ｕの突出部分に固定された固定端１１４と、自由端である先端１１０ｔとを有している。ランス１１０は、上壁１００ｕに弾性的に支持されており、先端１１０ｔは、Ｚ方向（上下方向）及びＹ方向（左右方向）の双方において変位可能である。
【００４１】
ランス１１０は、概ね平板状に形成されており、わずかに下降しつつ前方に向かって延びている。ランス１１０は、側面突部１１３と突出部１１５とを備えている。側面突部１１３は、ランス１１０のＸ方向（前後方向）における中央部分に設けられており、ランス１１０の＋Ｙ側の側部から＋Ｙ方向に突出している。突出部１１５は、Ｘ方向（前後方向）において側面突部１１３の前端よりも前側に位置している。換言すれば、突出部１１５は、ランス１１０のＸ方向（前後方向）における前側の端部として設けられており、Ｚ方向における厚さを薄くしつつ前方に向かって先端１１０ｔまで延びている。
【００４２】
図５、図６、図９及び図１０に示されるように、Ｚ方向（上下方向）においてランス１１０の突出部１１５の下方には、第１係止部１１１が設けられている。第１係止部１１１は、Ｚ方向（上下方向）においてランス１１０の下側に設けられており、Ｙ方向（幅方向）に延びている。詳しくは、第１係止部１１１は、Ｘ方向（前後方向）と直交する平面状に形成されている。第１係止部１１１のＹ方向における両側部分は矩形状に形成されている。Ｙ方向において両側部分に挟まれた中央部分は、窪んだ下端部と上方に突出したアーチ型の上端部とを備えている。以上の説明から理解されるように、第１係止部１１１は、コンタクト２００の第１被係止部２１６を係止するための部位であり、第１被係止部２１６と対応する形状に形成されている。
【００４３】
図５、図９及び図１０に示されるように、Ｚ方向（上下方向）において、突出部１１５の下側には、上方に向かって凹んだ凹部１１８が形成されている。凹部１１８は、Ｚ方向において第１係止部１１１のアーチ型の上端部と対応する位置に形成されている（図１０参照）。凹部１１８は、凹面１１８ｓを有している。凹面１１８ｓは、突出部１１５の下面の一部であり、斜め上方に湾曲したアーチ状に形成されている。即ち、凹面１１８ｓの大部分は、Ｘ方向及びＹ方向の双方と交差している。
【００４４】
図５乃至図１０に示されるように、側面突部１１３の前端には第２係止部１１２が設けられている。即ち、第２係止部１１２は、Ｙ方向（幅方向）においてランス１１０の突出部１１５の外側に設けられており、Ｚ方向（上下方向）に（即ち、幅方向と交差する方向に）延びている。第２係止部１１２は、コンタクト２００の第２被係止部２２２を係止するための部位であり、第２被係止部２２２と対応する形状に形成されている。具体的には、第２係止部１１２は、Ｘ方向（前後方向）と直交する平面状に形成されており、Ｚ方向に長く延びた矩形形状を有している。また、第２係止部１１２は、Ｚ方向（上下方向）において、ランス１１０の固定端１１４に対して第１係止部１１１よりも近い位置に位置している。
【００４５】
図６乃至図１０に示されるように、ランス１１０は、第１被当接部１１６と第２被当接部１１７とを更に有している。第１被当接部１１６は、ランス１１０の下面に設けられており、平面部と傾斜部（またはＲ面部）とを有している。詳しくは、第１被当接部１１６は、Ｘ方向（前後方向）において第１係止部１１１の後方に設けられており、第１係止部１１１の下端から、平面部がＺ方向と直交する平面内を後方（−Ｘ方向）に延び、平面部の後端から、傾斜部が上方（＋Ｚ方向）に向けて傾斜しつつ後方（−Ｘ方向）に延びている。ランス１１０の下面のうち第１被当接部１１６よりも−Ｙ側に位置する部分は、第１係止部１１１の形状と対応して上方に窪んでいる（図１０参照）。第２被当接部１１７は、側面突部１１３の側面として形成されており、Ｘ方向（前後方向）において第２係止部１１２の後方に設けられている。第２被当接部１１７は、平面部と傾斜部とを有している。詳しくは、本実施の形態における第２被当接部１１７は、側面突部１１３の前端から、平面部がＹ方向と直交する平面内を後方（−Ｘ方向）に延び、平面部の後端から、傾斜部が−Ｙ方向に傾斜しつつ更に後方に延びている。なお、第１被当接部１１６と第２被当接部１１７のそれぞれの平面部は形成されなくても良い。
【００４６】
図５、図７及び図８に示されるように、ハウジング１００の前面１００ｆには、開口１０４と挿入孔１０６とが形成されている。開口１０４及び挿入孔１０６は、いずれもコンタクト収容室１２０と連通している。開口１０４は、Ｙ方向及びＺ方向においてランス１１０と対応する位置に形成されている。一方、挿入孔１０６は、ハウジング１００に挿入されたコンタクト２００の接触部２６０とＹ方向及びＺ方向において対応する位置に形成されている。
【００４７】
図１から理解されるように、以上のように構成されたハウジング１００にコンタクト２００を挿入する場合、コンタクト２００の板部（第１方向キー）２２０とハウジング１００のスリット１３０との位置を合わせて、コンタクト２００の前端２００ｆをハウジング１００の孔１０２に挿入する。
【００４８】
図１５（ａ）から理解されるように、コンタクト２００の挿入を続けると、孔１０２内部に挿入された板部２２０がスリット１３０にガイドされ、コンタクト２００は、第１底面１４０上をコンタクト収容室１２０に向かってスライドする。更に挿入を続けると、コンタクト２００の前端２００ｆが段差部１４４を上り、コンタクト２００は、第２底面１４２上をスライドする。
【００４９】
更に挿入を続けると、図１５（ｂ）及び図１６に示されるように、コンタクト２００の前端２００ｆは、コンタクト収容室１２０内部に収容される。その際、角筒状部２１２の上面２１０が第１当接部２１０として機能し、板部２２０のＹ方向（幅方向）内側の主面２２８が第２当接部２２８として機能する。具体的には、コンタクト２００がコンタクト収容室１２０に収容される際、上面２１０がＺ方向（上下方向）において第１被当接部１１６に当接し、主面２２８がＹ方向（幅方向）において第２被当接部１１７に当接する。本実施の形態においては、上面（第１当接部）２１０と第１被当接部１１６との当接と、主面（第２当接部）２２８と第２被当接部１１７との当接は、実質的に同時に行われる。このとき、第１当接部２１０は、係止突起２１８と係止孔２２９との係止により−Ｚ方向（下方向）への移動が防止されており、第２被当接部１１７は、後側板部２３０とスリット１３０との係止により＋Ｙ方向（外方向）への移動が規制されている。従って、第１被当接部１１６は第１当接部２１０から＋Ｚ方向に押圧されて移動し、第２被当接部１１７は第２当接部２２８から−Ｙ方向に押圧されて移動する。換言すれば、第１当接部２１０がＺ方向（上下方向）においてランス１１０を上側に押し上げる一方、第２当接部２２８がランス１１０をＹ方向（幅方向）において−Ｙ側に向けて押圧する。即ち、第１当接部２１０及び第２当接部２２８が第１被当接部１１６及び第２被当接部１１７に夫々当接することにより、ランス１１０は、Ｙ方向（幅方向）及びＺ方向（上下方向）の双方と斜交する方向へ弾性変位する。
【００５０】
ここで、図１７のコネクタ１０′はコネクタ１０と同様に構成されており、ランス１１０′が形成されたハウジング１００′を備えているが、ランス１１０′は第２被当接部１１７を備えていない。従って、コンタクト２００をハウジング１００′のコンタクト収容室１２０に収容する際には、第１当接部２１０が第１被当接部１１６に当接することにより、ランス１１０′は、上方にのみ弾性変位する。これに対して、本実施の形態によるコネクタ１０は、第２被当接部１１７を備えているため、ランス１１０を斜め上方に弾性変位させることができる。換言すれば、本実施の形態によるランス１１０は、第１当接部２１０から受ける＋Ｚ方向の力と、第２当接部２２８から受ける−Ｙ方向の力との合成力によって変位するため変位し易く、従って本実施の形態によればコンタクト２００の挿入性が向上する。
【００５１】
図１５（ｂ）の位置にあるコンタクト２００をコンタクト収容室１２０内部に更に挿入すると、図１１乃至図１３に示されるように、コンタクト２００は、相手側コンタクト（図示せず）との接続が行われる位置である挿入完了位置に到達する。このとき、第１当接部２１０及び第２当接部２２８は、第１被当接部１１６及び第２被当接部１１７の前方に夫々到達する。従って、コンタクト２００が挿入完了位置に到達する際、ランス１１０の第１被当接部１１６及び第２被当接部１１７は、弾性変位する前の位置に戻る。
【００５２】
コンタクト２００が挿入完了位置にあるとき、相手側コンタクト（図示せず）の端部を挿入孔１０６からコンタクト収容室１２０内部に挿入してコンタクト２００の接触部２６０と接触させることができる。これにより、コンタクト２００を介して、相手側コンタクトとケーブル５００とを電気的に接続することができる。
【００５３】
図１１乃至図１４に示されるように、コンタクト２００が挿入完了位置に位置しているとき、ランス１１０の互いに異なる２つの係止部（第１係止部１１１及び第２係止部１１２）が、コンタクト２００に設けた互いに区別し得る２つの被係止部（第１被係止部２１６及び第２被係止部２２２）を、Ｘ方向（前後方向）において夫々係止している。このように、本実施の形態においては、２つの係止部により広い係止面積を確保することができ、コンタクト２００の挿入し易さを犠牲にすることなく、ランス１１０の強度を維持し、コンタクトの保持力を確保することができる。
【００５４】
本実施の形態においては、第１係止部１１１はランス１１０の下側に設ける一方で、第２係止部１１２をランス１１０の幅方向外側に設けている。従って、第２係止部１１２がランス１１０の固定端１１４に近い位置に位置することとなり、係止部分全体の中心が固定端１１４に近づく。そのため、コンタクト２００を無理に引き抜こうとした時にランス１１０が下方に変形しにくい。換言すれば、−Ｘ方向に沿った力の大部分が固定端１１４によって受け止められるので、ランス１１０の係止強度を高めることができる。
【００５５】
更に、第１被係止部２１６は、第１係止部１１１のＹ方向（幅方向）に広がりを持つ面によって係止されており、第２被係止部２２２は、第２係止部１１２のＺ方向（上下方向）に広がりを持つ面によって係止されている。このように幅方向と高さ方向の２方向によってコンタクト２００を係止するため、ランス１１０の係止強度を更に高めることができる。
【００５６】
また、第２被係止部２２２は、方向キーとして必要な板部２２０の一部なので、第２被係止部２２２を係止する第２係止部１１２をハウジング１００に設けてもハウジング１００のサイズは変わらない。また、ランス１１０が−Ｙ方向に変位するための間隙は、ハウジング１００をモールド成形する際に生ずる部位である。即ち、ランス１１０が−Ｙ方向に変位しない場合でもハウジング１００が備える部位である。従って、本実施の形態の第２係止部１１２を設けることにより、ハウジング１００のサイズを変えることなくコンタクト２００を係止する係止面積を増加させることができ、これにより、ランス１１０の係止強度を高めることができる。更に、ハウジング１００のサイズを小さくした場合（例えば、ランス１１０の幅を小さくした場合）にも、第２係止部１１２を備えていない場合と比べて、ランス１１０の係止強度を保つことが容易である。
【００５７】
図１１及び図１３から理解されるように、ランス１１０とコンタクト２００との係止は、例えば、細い先端を備えた治具（図示せず）を使用することで解除することができる。具体的には、ハウジング１００の開口１０４からコンタクト収容室１２０内部に治具を挿入し、治具の先端で凹面１１８ｓをこじることによりランス１１０を上方又は斜め上方に変位させ、これによって係止を解除することが可能である。
【００５８】
なお、本実施の形態による第２係止部は上下方向に延びているが、第２係止部は、例えば前後方向に傾斜しつつ上下方向に延びていてもよい。即ち、第２係止部は、幅方向と交差する方向に延びていればよい。但し、第２被係止部は、第２係止部が延びる方向に対応して延びる必要がある。また、ランスの係止強度を高めるためには本実施の形態のように上下方向に延びていることが好ましい。
【００５９】
また、本実施の形態による板部は上下方向において上側に延びているが、板部は、例えば斜め上方向に延びていてもよい。即ち、板部は、幅方向と交差する方向に延びていればよい。このようにした場合、板部の幅方向内側の主面は、コンタクトをコンタクト収容室に収容する際に第２被当接部に当接してランスを上下方向と交差する方向に押圧することになる。
【００６０】
更に、本実施の形態による板部はコンタクトの前端から後方に延びているが、コンタクトの前端よりも後方に離れた位置から後方に延びていてもよい。但し、コンタクト収容室内におけるランスの位置や小型化を考慮すると、本実施の形態のようにコンタクトの前端から延びていることが好ましい。
【００６１】
なお、本実施の形態によるコンタクトは雌型コンタクトであるが、本発明は雄型コンタクトについても適用可能である。
【符号の説明】
【００６２】
１０        コネクタ
１０′      コネクタ
１００      ハウジング
１００ｆ    前面
１００ｒ    背面
１００ｕ    上壁
１０２      孔
１０４      開口
１０６      挿入孔
１１０      ランス
１１０′    ランス
１１０ｔ    先端
１１１      第１係止部
１１２      第２係止部
１１３      側面突部
１１４      固定端
１１５      突出部
１１６      第１被当接部
１１７      第２被当接部
１１８      凹部
１１８ｓ    凹面
１２０      コンタクト収容室
１３０      スリット
１４０      第１底面
１４２      第２底面
１４４      段差部
２００      コンタクト
２００ｆ    前端
２００ｒ    後端
２０２      第１側壁
２０４      第２側壁
２０６      底板部
２０８      上板部
２１０      上面（第１当接部）
２１２      角筒状部
２１４      凸部
２１６      第１被係止部
２１８      係止突起
２２０      板部（第１方向キー）
２２０ｆ    前縁
２２０ｒ    後縁
２２０ｔ    上縁
２２２      第２被係止部
２２４      曲がり部
２２６      主面
２２８      主面（第２当接部）
２２９      係止孔
２３０      後側板部（第２方向キー）
２４０      被覆かしめ部
２５０      芯線かしめ部
２６０      接触部
５００      ケーブル
５１０      被覆
５２０      芯線
【図１】
0005699029.tif 000002
【図２】
0005699029.tif 000003
【図３】
0005699029.tif 000004
【図４】
0005699029.tif 000005
【図５】
0005699029.tif 000006
【図６】
0005699029.tif 000007
【図７】
0005699029.tif 000008
【図８】
0005699029.tif 000009
【図９】
0005699029.tif 000010
【図１０】
0005699029.tif 000011
【図１１】
0005699029.tif 000012
【図１２】
0005699029.tif 000013
【図１３】
0005699029.tif 000014
【図１４】
0005699029.tif 000015
【図１５】
0005699029.tif 000016
【図１６】
0005699029.tif 000017
【図１７】
0005699029.tif 000018
【図１８】
0005699029.tif 000019
【図１９】
0005699029.tif 000020